(57)【特許請求の範囲】
【請求項１】
天部と、底部と、この底部に対して前記天部を支持する支持部とで構成されるケース本体と、このケース本体に引き出し自在に収納される収納体とから成る積み重ね設置可能に構成された収納ケースにおいて、前記天部は、この天部上に載置される別のケース本体を位置決めする位置決め部が設けられていると共に、前記別のケース本体に設けられた係止爪部が係合する係合縁部が設けられている構成とされ、前記底部は、このケース本体を積み重ねる下側の別のケース本体に設けられた係合縁部と係合する鉤状の係止爪部がこの底部の後側に先端を前側に向けて垂設される構成とされて、このケース本体を積み重ねる前記下側の別のケース本体の天部上に前記ケース本体を前記下側の別のケース本体に設けられた位置決め部で位置決めして載置し、前記係止爪部を前記下側の別のケース本体の天部に圧接させると、前記係止爪部が弾性変形するか、若しくは前記係止爪部を設けた前記底部が弾性変形して、前記下側の別のケース本体の天部に設けられた係合縁部を乗り越え、この係合縁部の裏面側に回り込んで該係合縁部と係合し、このケース本体に該ケース本体の後側が浮き上がろうとする力が作用しても、前記係止爪部が前記係合縁部の裏面に係止して浮き上りが阻止される状態で積み重ね設置され、この積み重ね設置状態の前記ケース本体の前側を持ち上げると、前記係止爪部と前記係合縁部との係止状態が解除され、前記ケース本体と前記下側の別のケース本体とが分離可能な状態となるように構成されていることを特徴とする収納ケース。
【請求項２】
前記天部に前記係止爪部が係合する係合孔が形成されており、この係合孔の開口縁部が前記係合縁部とされることを特徴とする請求項１記載の収納ケース。
【請求項３】
前記天部に凸状段差部が形成されており、この凸状段差部の後側辺部の側面に前記係合孔が形成され、この係合孔の上側開口縁部が前記係合縁部とされることを特徴とする請求項２記載の収納ケース。
【請求項４】
前記底部の後側に押圧により弾性変形する押圧弾性変形部が設けられ、この押圧弾性変形部に前記係止爪部が垂設されていることを特徴とする請求項１〜３のいずれか１項に記載の収納ケース。
【請求項５】
前記底部の後側に左右に架設する架設部が設けられ、この架設部は、架設方向に沿って上方に凸となる弓状に形成される構成とされると共に、押圧により下方に向かって撓み弾性変形自在に構成され、この架設部に前記係止爪部が設けられて、前記係止爪部が上下移動自在に設けられる構成とされることを特徴とする請求項１〜４のいずれか１項に記載の収納ケース。
【請求項６】
前記底部は、前枠部，後枠部，左枠部及び右枠部から成る平面視方形状の枠体に形成される構成とされると共に、前記後枠部が前記架設部として形成される構成とされることを特徴とする請求項５記載の収納ケース。
【請求項７】
前記ケース本体を前記下側の別のケース本体の天部上に前記下側の別のケース本体に設けられた位置決め部で位置決めして載置すると、前記係止爪部が前記下側の別のケース本体に設けられた係合縁部の端縁上に配され、この係合縁部の端縁上に配された前記係止爪部を、前記底部に設けた押し込み操作部を押し込み操作して前記係合縁部側に押し込むと、この係止爪部が弾性変形するか、若しくは、この係止爪部を設けた前記底部が変形して、前記下側の別のケース本体の天部に設けられた係合縁部の端縁を前記係止爪部の先端部が乗り越えて、この端縁を乗り越えた前記係止爪部の先端部が前記係合縁部の裏面に掛止係合し、前記ケース本体に該ケース本体の後側が浮き上がろうとする力が作用しても、前記係止爪部の先端部が前記係合縁部の裏面に係止して浮き上りが阻止される状態で積み重ね設置され、この積み重ね設置状態の前記ケース本体の前側を持ち上げると、前記係止爪部の先端部が前記係合縁部を乗り越えてこの係合縁部の表面側に移動して係止状態が解除され、前記ケース本体と前記下側の別のケース本体とが分離可能な状態となるように構成されることを特徴とする請求項１〜６のいずれか１項に記載の収納ケース。
【発明の詳細な説明】
【技術分野】
【０００１】
本発明は、ケース本体に収納体を引き出し自在に収納配設した積み重ね設置可能な収納ケースに関するものである。
【背景技術】
【０００２】
ケース本体に収納体を引き出し自在に収納配設した収納ケースを複数設置する際に、設置場所を取らないように積み重ねて設置する場合があるが、従来の収納ケースＳは、収納ケースＳ同士を連結せず、単に下側の収納ケースＳの天部上に上側の収納ケースを積み重ねてゆくだけなので、図１１に示すように、上側の収納ケースＳの収納体25を大きく手前に引き出した際、重心が手前側に移動し、収納ケースＳの後側が浮いて、場合によっては落下してしまうことがあった。
【０００３】
そのため、従来、このような収納ケースＳの後側の浮きを防止する対策を施し、積み重ね設置に適した、例えば、特許文献１〜３に示すような収納ケースが提案されている。
【先行技術文献】
【特許文献】
【０００４】
【特許文献１】特開平９−３１３２８３号公報
【特許文献２】登録実用新案第３０３３３２５号公報
【特許文献３】実開平４−９６２４０号公報
【発明の概要】
【発明が解決しようとする課題】
【０００５】
上記特許文献１，２に示す収納ケースは、上段の収納ケースの後側を、連結具を用いて下段の収納ケースに連結することで浮き上りを防止するタイプのものであるが、このような連結具を採用した場合、部品点数が増えてコストが掛かるうえに、連結具が別体なので紛失するおそれもあり、また、連結具を装着した際、この連結具が露出することで外観を損ねてしまう等の問題がある。
【０００６】
更に、特許文献１のタイプの収納ケースでは、連結具を掛け止める係止部が本体上部に突設されているため、積み重ねず単体で使用する場合、この不必要な係止部が外観を損ねてしまう問題もある。
【０００７】
また、特許文献３に示す収納ケースは、下段の収納ケースの天板に設けた嵌合部に、上段の収納ケースの底部後側に設けた挿通片を嵌挿させることで浮き上りを防止するタイプのものであり、上述した特許文献１，２のタイプにおける問題は解決されているものの、構造が複雑であるために製造コストが高くなってしまうことや、挿通片が内部で立直した収納状態で成形されるためにプラスチックで一体成形されたヒンジに屈曲ぐせが付き、挿通片が容易に水平状態にならず、嵌合部への嵌挿が容易にできない等、コストや使い勝手の面で問題がある。
【０００８】
本発明は、上述のような現状に鑑みなされたもので、簡易な構成で容易に浮き上り防止構造を実現可能とし、しかも、簡易な操作で浮き上がり防止状態にしたり、上下の収納ケースを分離可能な状態とすることができ、更に、浮き上り防止構造が露出せず体裁の良い実用性に優れた収納ケースを提供することを目的とする。
【課題を解決するための手段】
【０００９】
添付図面を参照して本発明の要旨を説明する。
【００１０】
天部１と、底部２と、この底部２に対して前記天部１を支持する支持部３とで構成されるケース本体４と、このケース本体４に引き出し自在に収納される収納体５とから成る積み重ね設置可能に構成された収納ケースにおいて、前記天部１は、この天部１上に載置される別のケース本体４を位置決めする位置決め部６が設けられていると共に、前記別のケース本体４に設けられた係止爪部７が係合する係合縁部８が設けられている構成とされ、前記底部２は、このケース本体４を積み重ねる下側の別のケース本体４に設けられた係合縁部８と係合する鉤状の係止爪部７がこの底部２の後側に先端を前側に向けて垂設される構成とされて、このケース本体４を積み重ねる前記下側の別のケース本体４の天部１上に前記ケース本体４を前記下側の別のケース本体４に設けられた位置決め部６で位置決めして載置し、前記係止爪部７を前記下側の別のケース本体４の天部１に圧接させると、前記係止爪部７が弾性変形するか、若しくは前記係止爪部７を設けた前記底部２が弾性変形して、前記下側の別のケース本体４の天部１に設けられた係合縁部８を乗り越え、この係合縁部８の裏面側に回り込んで該係合縁部８と係合し、このケース本体４に該ケース本体４の後側が浮き上がろうとする力が作用しても、前記係止爪部７が前記係合縁部８の裏面に係止して浮き上りが阻止される状態で積み重ね設置され、この積み重ね設置状態の前記ケース本体４の前側を持ち上げると、前記係止爪部７と前記係合縁部８との係止状態が解除され、前記ケース本体４と前記下側の別のケース本体４とが分離可能な状態となるように構成されていることを特徴とする収納ケースに係るものである。
【００１１】
また、前記天部１に前記係止爪部７が係合する係合孔９が形成されており、この係合孔９の開口縁部が前記係合縁部８とされることを特徴とする請求項１記載の収納ケースに係るものである。
【００１２】
また、前記天部１に凸状段差部が形成されており、この凸状段差部の後側辺部の側面に前記係合孔９が形成され、この係合孔９の上側開口縁部が前記係合縁部８とされることを特徴とする請求項２記載の収納ケースに係るものである。
【００１３】
また、前記底部２の後側に押圧により弾性変形する押圧弾性変形部10が設けられ、この押圧弾性変形部10に前記係止爪部７が垂設されていることを特徴とする請求項１〜３のいずれか１項に記載の収納ケースに係るものである。
【００１４】
また、前記底部２の後側に左右に架設する架設部11が設けられ、この架設部11は、架設方向に沿って上方に凸となる弓状に形成される構成とされると共に、押圧により下方に向かって撓み弾性変形自在に構成され、この架設部11に前記係止爪部７が設けられて、前記係止爪部７が上下移動自在に設けられる構成とされることを特徴とする請求項１〜４のいずれか１項に記載の収納ケースに係るものである。
【００１５】
また、前記底部２は、前枠部２ａ，後枠部２ｂ，左枠部２ｃ及び右枠部２ｄから成る平面視方形状の枠体に形成される構成とされると共に、前記後枠部２ｂが前記架設部11として形成される構成とされることを特徴とする請求項５記載の収納ケースに係るものである。
【００１６】
また、前記ケース本体４を前記下側の別のケース本体４の天部１上に前記下側の別のケース本体４に設けられた位置決め部６で位置決めして載置すると、前記係止爪部７が前記下側の別のケース本体４に設けられた係合縁部８の端縁８ａ上に配され、この係合縁部８の端縁８ａ上に配された前記係止爪部７を、前記底部２に設けた押し込み操作部12を押し込み操作して前記係合縁部８側に押し込むと、この係止爪部７が弾性変形するか、若しくは、この係止爪部７を設けた前記底部２が変形して、前記下側の別のケース本体４の天部１に設けられた係合縁部８の端縁８ａを前記係止爪部７の先端部が乗り越えて、この端縁８ａを乗り越えた前記係止爪部７の先端部が前記係合縁部８の裏面に掛止係合し、前記ケース本体４に該ケース本体４の後側が浮き上がろうとする力が作用しても、前記係止爪部７の先端部が前記係合縁部８の裏面に係止して浮き上りが阻止される状態で積み重ね設置され、この積み重ね設置状態の前記ケース本体４の前側を持ち上げると、前記係止爪部７の先端部が前記係合縁部８を乗り越えてこの係合縁部８の表面側に移動して係止状態が解除され、前記ケース本体４と前記下側の別のケース本体４とが分離可能な状態となるように構成されることを特徴とする請求項１〜６のいずれか１項に記載の収納ケースに係るものである。
【発明の効果】
【００１７】
本発明は上述のように構成したから、簡易な構成で容易に浮き上り防止構造を実現可能とし、しかも、簡易な操作で浮き上がり防止状態に積み重ね設置することができたり、また、この積み重ね設置状態の上下の収納ケースを極めて容易に分離可能な状態とすることができる実用性に優れた収納ケースとなる。
【００１８】
また、請求項２記載の発明においては、極めて簡易な構成で容易に係合縁部を形成することができる生産性に優れた収納ケースとなる。
【００１９】
また、請求項３記載の発明においては、係合孔が目立たず、体裁の良い収納ケースとなる。
【００２０】
また、請求項４記載の発明においては、一層簡易な構造で容易に設計実現可能となると共に、係止爪部の係合縁部への係合操作を容易に可能とする生産性且つ実用性に優れた画期的な収納ケースとなる。
【００２１】
また、請求項５記載の発明においては、極めて簡易な構成で一層係止爪部の係合縁部への係合操作を容易に可能とすると共に、より一層前記係止爪部と係合縁部との係止を確実なものとする一層実用性に優れた画期的な収納ケースとなる。
【００２２】
また、請求項６，７記載の発明においては、より一層簡易な構造で容易に設計実現可能となる生産性に優れた画期的な収納ケースとなる。
【図面の簡単な説明】
【００２３】
【図１】本実施例を示す斜視図である。
【図２】本実施例を示す平面図である。
【図３】本実施例を示す側断面図である。
【図４】本実施例を示す底面図である。
【図５】本実施例の要部（係止爪部及び係合縁部）を示す説明斜視図である。
【図６】本実施例の収納ケースを積み重ね設置する際の下側の収納ケース上に上側の収納ケースを位置決め載置した状態を示す説明背面図である。
【図７】図６における要部の側断面図である。
【図８】図６の状態から上側の収納ケースの押し込み操作部を押し込み操作して下側の収納ケースの係合縁部に上側の収納ケースの係止爪部を係合させた状態を示す説明背面図である。
【図９】図８における要部の側断面図である。
【図１０】本実施例の係止爪部と係合縁部との離脱動作説明図である。
【図１１】従来例を示す説明図である。
【発明を実施するための形態】
【００２４】
好適と考える本発明の実施形態を、図面に基づいて本発明の作用を示して簡単に説明する。
【００２５】
本発明の収納ケースを多段、例えば二段に積み重ね設置する場合、下側の収納ケース（ケース本体４）の天部１上に、この天部１に設けられている位置決め部６により所定位置に位置決め状態で上側の収納ケース（ケース本体４）を載置する。
【００２６】
この天部１に設けられている位置決め部６により位置決めすることで、上側の収納ケースの底部２に設けられている係止爪部７が、下側の収納ケースの天部１に設けられている係合縁部８と係合可能な位置に配設される。
【００２７】
この下側の収納ケースの天部１上に所定位置に位置決めして載置した上側の収納ケースを下方（下側の収納ケース側）に押し込み操作し、この上側の収納ケースの底部２に垂設した係止爪部７を前記係合縁部８に圧接させると、この係止爪部７自体が弾性変形するか、若しくはこの係止爪部７を設けた前記底部２（例えば、係止爪部７の周辺）が弾性変形して、係止爪部７の先端部が係合縁部８を乗り越えてこの係合縁部８の裏面側に回り込んで、この係合縁部８と係止爪部７の先端部が係合状態になる。
【００２８】
この係止爪部７と係合縁部８との係合により、上側の収納ケースの収納体５を引き出すことで収納ケースの重心が前方に移動し、この上側の収納ケースに後側が浮き上がろうとする力が作用しても、係止爪部７が係合縁部８の裏面に係止して浮き上りが阻止されるので、安定的に積み重ね設置でき、浮き上りを心配することなく収納体５を引き出し操作することができる。
【００２９】
また、本発明は、積み重ね設置状態を解除する場合、上側の収納ケースの前側を持ち上げてこの収納ケースを後下がり傾斜状態にすると、自動的に係止爪部７と係合縁部８との係止状態が解除されて、下側の収納ケースから上側の収納ケースを分離可能な状態とすることができる。
【００３０】
このように、本発明は、簡易な構成で容易に浮き上り防止構造を実現可能とし、しかも、簡易な操作で浮き上がり防止状態に積み重ね設置することができたり、また、この積み重ね設置状態の上下の収納ケースを極めて容易に分離可能な状態とすることができる実用性に優れた収納ケースとなる。
【実施例】
【００３１】
本発明の具体的な実施例について図面に基づいて説明する。
【００３２】
本実施例は、天部１と、底部２と、この底部２に対して前記天部１を支持する支持部３とで構成するケース本体４と、このケース本体４に引き出し自在に収納される収納体５とから成る積み重ね設置可能に構成した合成樹脂製の収納ケースに係るものである。
【００３３】
具体的には、本実施例のケース本体４は、前枠部２ａ，後枠部２ｂ，左枠部２ｃ及び右枠部２ｄから成る平面視方形状の枠体に形成した底部２の各角部に支持部３となる支柱部３を立設し、この支柱部３上に平面視方形状の面状体に形成した天部１を載置固定した構成としている。尚、本実施例のケース本体４は、底部２と支柱部３とを一体成形し、天部１を支柱部３に対して着脱自在に設けた構成としたが、天部１、底部２、支柱部３を夫々組立分解自在な組立式とした構成としても良いし、あるいは、天部１、底部２、支柱部３を一体成形した構成としても良い。
【００３４】
また、収納体５は、上部開口部を有する平面視方形状の箱状引出体５に形成した構成とし、具体的には、底部の左右両側に凸条摺動部５ａを設けると共に、この底部の左右両側の後端部にケース本体４の底部２に設けた落ち込み凹設部13に落ち込み係合する落ち込み係合部５ｂを設けた構成としている。
【００３５】
以下、上述した本実施例に係る構成各部について更に詳細に説明する。
【００３６】
本実施例のケース本体４を構成する天部１は、この天部１上に載置される別の収納ケースのケース本体４の底部２と係合し、前記別の収納ケースを位置決めする位置決め部６を天面１ａの表側に設けた構成とすると共に、この天部１上に載置される別の収納ケースのケース本体４に設けられた係止爪部７が係合する係合縁部８を設けた構成としている。
【００３７】
具体的には、位置決め部６は、天面１ａに対して凸となる平面視略方形状に形成した凸状段差部から成る構成とし、本実施例では、更に、誤ってケース本体４を前後逆向きに載置しないように、この位置決め部６の形状を前側と後側とで異なる形状（具体的には、図に示すように後側は左右方向に突出部６ａを形成した形状）に形成して、前後逆向きに位置決め載置できないように構成している。
【００３８】
また、係合縁部８は、この天部１に形成した係合孔９の開口縁部から成る構成とし、本実施例では、この係合孔９を、上述した凸状段差部から成る位置決め部６の後側辺部の側面（立設面）の長手方向（左右方向）の中間部に形成し、この係合孔９の上側開口縁部（天面１ａの一部）を前記係合縁部８とした構成としている。
【００３９】
より具体的には、本実施例の係合縁部８は、その裏面に前記係止爪部７が係合係止する構成とし、この係合縁部８の裏面は、奥側に向かって下がり傾斜する下がり傾斜面に形成した構成としている。
【００４０】
また、底部２は、前枠部２ａの収納体５の載置面となる上面の先端側を前方に向かって上がり傾斜する上がり傾斜面に形成し、収納体５を引き出した際、収納体５の後端部がこの上がり傾斜面を昇り移動することで負荷が生じ、容易に引き出されて抜け落ちないように構成している。
【００４１】
また、積み重ね設置時に、下側に位置する別のケース本体４に設けられた係合縁部８と係合する鉤状の係止爪部７を設けた構成とし、具体的には、この底部２の後側に押圧により弾性変形する押圧弾性変形部10を設け、この押圧弾性変形部10に前記係止爪部７を垂設した構成としている。
【００４２】
より具体的には、本実施例の底部２は、後側に左右に架設する前記押圧弾性変形部10としての架設部11を設け、この架設部11は、架設方向に沿って上方に凸となる弓状に形成した構成とすると共に、押圧により下方に向かって撓み弾性変形自在に構成し、この架設部11に前記係止爪部７を設けて、前記係止爪部７を上下移動自在に設けた構成とし、本実施例では、この底部２を形成する後枠部２ｂを架設部11として形成した構成としている。
【００４３】
更に詳細には、本実施例では、架設部11である後枠部２ｂを架設方向の中央部が最も上方に位置する若干の弓状に形成し、頂部となる前記中央部の裏面に前記係止爪部７を、先端を前側に向けて垂設した構成としている。
【００４４】
即ち、本実施例では、この架設部11である後枠部２ｂを上述したような弓状に形成すると共に、この弓状の後枠部２ｂの頂部となる中央部に係止爪部７を垂設する構成として、積み重ね設置した際に、係止爪部７が下側の収納ケースの天部１に干渉せず（突き当らず）、上側の収納ケースの底部２が下側の収納ケースの天部１に設けられた位置決め部６にきちんと係合して確実に位置決めすることができるように構成している。
【００４５】
更に、本実施例では、この弓状に形成した後枠部２ｂの頂部となる中央部の表面に係止爪部７の係合縁部８への係合操作用の押し込み操作部12を設けた構成として、この押し込み操作部12を押し込み操作すると合成樹脂製の後枠部２ｂが下方に向かって撓み弾性変形し、この後枠部２ｂの撓み弾性変形により係止爪部７が下方に移動する構成とすると共に、この押し込み操作部12の押し込み操作を解除すると後枠部２ｂの戻り弾性により係止爪部７が戻り移動し、この係止爪部７が係合縁部８に係合した際に、この戻り移動により係止爪部７が係合縁部８に確実且つ強固に係合する構成としている。
【００４６】
更に詳細に説明すると、本実施例の係止爪部７は、係合縁部８に係合係止する先端部の爪部７ａと、この爪部７ａを後枠部２ｂと連結する垂下連結片７ｂとから成り、この垂下連結片７ｂの下端に爪部７ａを先端側を前方に向けて設けた構成とし、更に、爪部７ａは、表面（上面）の係合縁部８の裏面に係止する係止面を先端側に向かって下がり傾斜する下がり傾斜面に形成し、この係止面の裏側となる裏面（底面）を逆に先端側に向かって上がり傾斜する上がり傾斜面に形成した先細り形状に形成した構成として、積み重ね設置して係合縁部８に係合させた状態でケース本体４の後側が浮き上がろうとする力が作用した際には、下がり傾斜面に形成した係合縁部８の裏面（係止爪部７との係止面）に面同士が重なり合うように係合係止して強固な浮き上り防止作用を発揮するように構成し、また、積み重ね設置状態を解除する際には、ケース本体４の前側を持ち上げ操作することでこの爪部７ａの先端が係合縁部８の裏面をスムーズに摺動してこの係合縁部８から離脱し係止状態が解除されるように構成している。
【００４７】
即ち、本実施例では、ケース本体４を下側の別のケース本体４の天部１上にこの下側の別のケース本体４に設けられた位置決め部６で位置決めして載置すると、係止爪部７がこの係止爪部７の爪部７ａの裏面が下側の別のケース本体４に設けられた係合縁部８の端縁８ａ上に位置する状態で配され、この係合縁部８の端縁８ａ上に配された係止爪部７を、底部２（後枠部２ｂ）に設けた押し込み操作部12を押し込み操作して下方（係合縁部８側）に押し込むと、この係止爪部７が弾性変形するか、若しくは、この係止爪部７を設けた後枠部２ｂそのものが変形するか、あるいは、これら双方が変形して、係止爪部７の先端部、即ち爪部７ａが下側の別のケース本体４の天部１に設けられた係合縁部８の端縁８ａを乗り越え、この端縁８ａを乗り越えた係止爪部７の爪部７ａの表面である係止面が係合縁部８の裏面に掛止係合し、ケース本体４に該ケース本体４の後側が浮き上がろうとする力が作用しても、係止爪部７の爪部７ａが係合縁部８の裏面に係止して浮き上りが阻止される状態で積み重ね設置され、この積み重ね設置状態の上側のケース本体４の前側を持ち上げると、係止爪部７の爪部７ａが係合縁部８を乗り越えてこの係合縁部８の表面側に移動して係止状態が解除され、ケース本体４と下側の別のケース本体４とが容易に分離可能な状態となる構成としている。
【００４８】
また、本実施例では、係止爪部７を係合縁部８に係合させるために押し込み操作部12を押し込み操作すると、係止爪部７の爪部７ａが下側の別のケース本体４の天部１に設けられた係合縁部８の端縁８ａを乗り越え、この端縁８ａを乗り越えた係止爪部７の爪部７ａの表面である係止面が係合縁部８の裏面に掛止係合した際に、係止爪部７と係合縁部８とが勢いよく接触してクリック音を発する構成とすると共に、係止爪部７と係合縁部８との係合を解除するために積み重ね設置状態の上側のケース本体４の前側を持ち上げ操作すると、係合縁部８の裏面に係止している係止爪部７の爪部７ａが係合縁部８を乗り越え、この係合縁部８の表面側に移動して係止状態を解除した際に、係止爪部７と係合縁部８とが勢いよく接触してクリック音を発する構成としている。
【００４９】
即ち、本実施例の収納ケースは、このクリック音により目視確認することなく係止爪部７が係合縁部８に係合したことや係止爪部７が係合縁部８から離脱したことを認識できる構成としている。
【００５０】
また、本実施例のケース本体４は、前枠部２ａの収納体５の載置面となる上面の先端側を前方に向かって上がり傾斜する上がり傾斜面に形成し、収納体５を引き出した際、収納体５の後端部がこの上がり傾斜面を昇り移動することで負荷が生じ、容易に引き出されて抜け落ちないように構成している。
【００５１】
このように、本実施例の収納ケースは、簡易な構成で容易に浮き上り防止構造を実現可能とし、しかも、簡易な操作で浮き上がり防止状態にしたり、係止爪部７と係合縁部８との係合を解除して上下に積み重ね設置した収納ケースを分離可能な状態とすることができる極めて実用性に優れた画期的な収納ケースとなる。
【００５２】
尚、本発明は、本実施例に限られるものではなく、各構成要件の具体的構成は適宜設計し得るものである。
【符号の説明】
【００５３】
１  天部
２  底部
２ａ  前枠部
２ｂ  後枠部
２ｃ  左枠部
２ｄ  右枠部
３  支持部
４  ケース本体
５  収納体
６  位置決め部
７  係止爪部７
８  係合縁部
８ａ  端縁
９  係合孔
10  押圧弾性変形部
11  架設部
12  押し込み操作部
【図１】
0006010648.tif 000002
【図２】
0006010648.tif 000003
【図３】
0006010648.tif 000004
【図４】
0006010648.tif 000005
【図５】
0006010648.tif 000006
【図６】
0006010648.tif 000007
【図７】
0006010648.tif 000008
【図８】
0006010648.tif 000009
【図９】
0006010648.tif 000010
【図１０】
0006010648.tif 000011
【図１１】
0006010648.tif 000012